(57)【要約】【課題】  デジタル画像の表示に際して、ユーザにとって不快感の少ない表示を実現すること。【解決手段】  複数の画像を順次表示する表示部と、複数の画像のそれぞれについて、色の属性に関する評価値を算出する算出部と、評価値を比較し、比較結果に基づいて、複数の画像を表示部に表示する際の表示順を前記色の属性の変化が小さくなるように決定する決定部とを備える。  なお、算出部は、画像の輝度と明度と彩度との少なくとも１つに基づいて、評価値を算出しても良い。  また、算出部は、複数の画像のそれぞれを複数の領域に分割し、分割した領域ごとに評価値を算出し、決定部は、算出部により算出した領域ごとの評価値を比較しても良い。【選択図】      図１
2010032613.tif 000002
【特許請求の範囲】
【請求項１】
複数の画像を順次表示する表示部と、
前記複数の画像のそれぞれについて、色の属性に関する評価値を算出する算出部と、
前記評価値を比較し、比較結果に基づいて、前記複数の画像を前記表示部に表示する際の表示順を前記色の属性の変化が小さくなるように決定する決定部と
を備えたことを特徴とする画像表示装置。
【請求項２】
請求項１に記載の画像表示装置において、
前記算出部は、前記画像の輝度と明度と彩度との少なくとも１つに基づいて、前記評価値を算出する
ことを特徴とする画像表示装置。
【請求項３】
請求項１または請求項２に記載の画像表示装置において、
前記算出部は、前記複数の画像のそれぞれを複数の領域に分割し、分割した領域ごとに前記評価値を算出し、
前記決定部は、前記算出部により算出した領域ごとの前記評価値を比較する
ことを特徴とする画像表示装置。
【請求項４】
請求項３に記載の画像表示装置において、
前記算出部により前記複数の画像のそれぞれを複数の領域に分割する際の分割数を設定する設定部を備える
ことを特徴とする画像表示装置。
【請求項５】
請求項１または請求項２に記載の画像表示装置において、
前記決定部は、前記比較結果に基づいて前記複数の画像を複数のグループに分類し、前記表示順として、前記複数のグループの表示順を決定する
ことを特徴とする画像表示装置。
【請求項６】
請求項１または請求項２に記載の画像表示装置において、
前記複数の画像に動画像が含まれる場合には、前記算出部は、前記動画像の最初のフレームと最後のフレームについて、前記評価値を算出する
ことを特徴とする画像表示装置。
【請求項７】
被写体を撮像して画像を生成する撮像部と、
請求項１から請求項６の何れか１項に記載の画像表示装置とを備え、
前記表示部は、前記撮像部により生成した複数の前記画像を順次表示し、
前記算出部は、前記複数の画像のそれぞれについて、色の属性に関する評価値を算出し、
前記決定部は、前記評価値を比較し、比較結果に基づいて、前記複数の画像を前記表示部に表示する際の表示順を前記色の属性の変化が小さくなるように決定する
ことを特徴とする電子カメラ。
【請求項８】
複数の画像を表示部に順次表示するための画像表示プログラムであって、
前記複数の画像のそれぞれについて、色の属性に関する評価値を算出する算出ステップと、
前記評価値を比較し、比較結果に基づいて、前記複数の画像を前記表示部に表示する際の表示順を前記色の属性の変化が小さくなるように決定する決定ステップと
を備えたことを特徴とする画像表示プログラム。
【請求項９】
請求項８に記載の画像表示プログラムにおいて、
前記算出ステップでは、前記画像の輝度と明度と彩度との少なくとも１つに基づいて、前記評価値を算出する
ことを特徴とする画像表示プログラム。
【請求項１０】
請求項８または請求項９に記載の画像表示プログラムにおいて、
前記算出ステップでは、前記複数の画像のそれぞれを複数の領域に分割し、分割した領域ごとに前記評価値を算出し、
前記決定ステップでは、前記算出ステップにおいて算出した領域ごとの前記評価値を比較する
ことを特徴とする画像表示プログラム。
【請求項１１】
請求項１０に記載の画像表示プログラムにおいて、
前記算出ステップにおいて前記複数の画像のそれぞれを複数の領域に分割する際の分割数を設定する設定ステップを備える
ことを特徴とする画像表示プログラム。
【請求項１２】
請求項８または請求項９に記載の画像表示プログラムにおいて、
前記決定ステップでは、前記比較結果に基づいて前記複数の画像を複数のグループに分類し、前記表示順として、前記複数のグループの表示順を決定する
ことを特徴とする画像表示プログラム。
【請求項１３】
請求項８または請求項９に記載の画像表示プログラムにおいて、
前記複数の画像に動画像が含まれる場合には、前記算出ステップでは、前記動画像の最初のフレームと最後のフレームについて、前記評価値を算出する
ことを特徴とする画像表示プログラム。
【発明の詳細な説明】
【技術分野】
【０００１】
本発明は、複数の画像を順次表示する表示部を備えた表示装置、その表示装置を備えた電子カメラ、および、複数の画像を表示部に順次表示するための画像表示プログラムに関する。
【背景技術】
【０００２】
近年、デジタルカメラなどの普及により、デジタル画像の様々な利用に関する技術が考えられている。例えば、特許文献１の発明では、デジタル画像の色に注目し、画像の代表値と目標色との色較差が、予め設けられた基準範囲となるよう画像を配置することにより、魅力的なアルバム画像を自動で作成している。
【特許文献１】特開２００７−２８５４８号公報
【発明の開示】
【発明が解決しようとする課題】
【０００３】
ところで、デジタル画像の表示の際には、画像の明るさも重要な要素である。例えば、デジタル画像を表示する画像表示装置として、近年注目を浴びているデジタルフォトフレームや、コンピュータのモニタ上でのスクリーンセイバーなどではスライドショー表示のような表示が行われているが、明るさが大きく変化すると激しいちらつきが生じることがある。純粋に画像を鑑賞する場合であれば、時系列など目的に応じた順序で画像を表示することが望ましいが、上述したデジタルフォトフレームなど、装飾として画像を表示する（飾る）場合においては、画面のちらつきは好ましくない。ちらつきにより、視線が奪われることになり、ユーザによっては煩わしく感じたりする可能性がある。
【０００４】
本発明は、上記問題に鑑みてなされたものであり、デジタル画像の表示に際して、ユーザにとって不快感の少ない表示を実現することを目的とする。
【課題を解決するための手段】
【０００５】
本発明の画像表示装置は、複数の画像を順次表示する表示部と、前記複数の画像のそれぞれについて、色の属性に関する評価値を算出する算出部と、前記評価値を比較し、比較結果に基づいて、前記複数の画像を前記表示部に表示する際の表示順を前記色属性の変化が小さくなるように決定する決定部とを備える。
【０００６】
なお、前記算出部は、前記画像の輝度と明度と彩度との少なくとも１つに基づいて、前記評価値を算出しても良い。
【０００７】
また、前記算出部は、前記複数の画像のそれぞれを複数の領域に分割し、分割した領域ごとに前記評価値を算出し、前記決定部は、前記算出部により算出した領域ごとの前記評価値を比較しても良い。
【０００８】
また、前記算出部により前記複数の画像のそれぞれを複数の領域に分割する際の分割数を設定する設定部を備えても良い。
【０００９】
また、前記決定部は、前記比較結果に基づいて前記複数の画像を複数のグループに分類し、前記表示順として、前記複数のグループの表示順を決定しても良い。
【００１０】
また、前記複数の画像に動画像が含まれる場合には、前記算出部は、前記動画像の最初のフレームと最後のフレームについて、前記評価値を算出しても良い。
【００１１】
また、上記発明に関する構成を備えた電子カメラも本発明の具体的態様として有効である。
【００１２】
また、上記発明に関する構成を、複数の画像を表示部に順次表示するための画像表示プログラムに変換して表現したものも本発明の具体的態様として有効である。
【発明の効果】
【００１３】
本発明によれば、デジタル画像の表示に際して、ユーザにとって不快感の少ない表示を実現することができる。
【発明を実施するための最良の形態】
【００１４】
以下、図面を用いて本発明の実施形態について説明する。本実施形態では、本発明の画像表示装置の一例として、デジタル画像を表示するデジタルフォトフレームを例に挙げて説明する。
【００１５】
図１は、本実施形態のデジタルフォトフレーム１の構成を示すブロック図である。図１に示すように、デジタルフォトフレーム１は、画像表示部１０、操作部１１、記録部１２、外部装置接続部１３の各部を備えるとともに、各部を制御する制御部１４を備える。画像表示部１０は、液晶モニタ等の表示機器を備え、各種画像やメニュー画面などを表示する。操作部１１は、選択ボタンや決定ボタンなどの操作用部材を備え、ユーザからの指示を受け付ける。操作部１１の操作状態は、制御部１４により検知される。記録部１２は、不図示の内蔵メモリやメモリカードなどを備え、画像をはじめとする各種データを記録する。外部装置接続部１３は、有線または無線によりデジタルフォトフレーム１の外部のデバイスと接続し、各種データの授受を行う。図１の例では、電子カメラと接続する場合を例示する。
【００１６】
以上説明した構成のデジタルフォトフレーム１に対して、ユーザが操作部１１を介して画像の表示を指示すると、制御部１４は、記録部１２から画像を読み出して、画像表示部１０に表示する。
【００１７】
なお、制御部１４は、各処理を実行するためのプログラムを予め記憶し、このプログラムにしたがって、デジタルフォトフレーム１の各部を制御する。また、制御部１４は、後述する表示順の決定を行うための評価値算出部１５および表示順決定部１６を備える。評価値算出部１５および表示順決定部１６の詳細は後述する。
【００１８】
次に、記録部１２に記録された複数枚の画像を、画像表示部１０にスライドショー表示する際の制御部１４の動作について、図２のフローチャートを参照して説明する。
【００１９】
ステップＳ１において、制御部１４は、予めユーザにより指定されたＸ枚の画像を記録部１２から読み込む。ユーザは、操作部１１を介して、スライドショー表示する複数の画像を予め選択する。制御部１４は、例えば、図３に示す表示画像選択画面を画像表示部１０に表示し、操作部１１を介したユーザ操作を受け付ける。ユーザは、表示画像として、記録部１２に記録された全ての画像を選択しても良いし、記録部１２内の特定のフォルダ内の画像を選択しても良いし、表示画像として、記録部１２に記録された複数の画像のうちいくつかの画像を選択しても良い。なお、表示画像の選択方法や表示画像選択画面はどのようなものであっても良い。
【００２０】
ステップＳ２において、制御部１４は、予めユーザにより指定された画像の分割数（Ｎ）を読み込む。ユーザは、操作部１１を介して、後述する輝度値を算出するための画像の分割数（Ｎ）を予め指定する。制御部１４は、例えば、図４に示す分割数指定画面を画像表示部１０に表示し、操作部１１を介したユーザ操作を受け付ける。図４の例では、ユーザは、列数および行数を数値指定することにより、分割数を指定する。以下では、列数＝３、行数＝２が指定されたものとして説明を行う。なお、分割数の指定方法や分割数指定画面はどのようなものであっても良い。
【００２１】
一般的に、分割数が多いほど、後述する表示順決定処理の精度が向上する。しかし、分割数が増えるほど処理の負荷が大きくなる。また、分割数が多すぎると、個々の領域の大きさが小さくなり、局所的な画像の特徴がならされてしまうので好ましくない。したがって、適当な分割数を指定することが必要である。適当な分割数は、画像の画素数や望まれる処理負荷などに応じて導き出すこともできる。そこで、制御部１４が自動で分割数を決定する構成としても良いし、ユーザに分割数を指定させる際に、指定可能な分割数を適当な範囲に限定する構成としても良い。
【００２２】
ステップＳ３において、制御部１４は、ステップＳ１で読み込んだＸ枚の画像のうち、輝度値Ｙ[Ｎ]の算出対象の画像を読み込む。
【００２３】
ステップＳ４において、制御部１４は、分割した画像の画像データを読み込む。制御部１４は、ステップＳ２で読み込んだ分割数（Ｎ）にしたがって、ステップＳ３で読み込んだ輝度値Ｙ[Ｎ]の算出対象の画像を分割し、分割した画像の画像データを読み込む。制御部１４は、例えば、図５に示すように、ステップＳ３で読み込んだ分割数（列数＝３、行数＝２）にしたがって、画像をａ〜ｆの６領域に分割する。そして、分割した画像の画像データを読み込む。
【００２４】
ステップＳ５において、制御部１４は、評価値算出部１５を制御し、ステップＳ４で読み込んだ画像データに基づいて、ＲＧＢそれぞれの平均値を算出する。以下では、Ｒの平均値＝Ｒ[Ｎ]、Ｇの平均値＝Ｇ[Ｎ]、Ｂの平均値Ｂ[Ｎ]とする。
【００２５】
ステップＳ６において、制御部１４は、評価値算出部１５を制御し、ステップＳ５で算出したＲＧＢそれぞれの平均値に基づいて、輝度値Ｙ[Ｎ]を算出する。輝度値Ｙ[Ｎ]は、以下の式１により算出される。
【００２６】
輝度値Ｙ[Ｎ]＝０．２９９Ｒ[Ｎ]＋０．５８７Ｇ[Ｎ]＋０．１１４Ｂ[Ｎ]  …式１
ステップＳ７において、制御部１４は、ステップＳ４において分割した全ての領域の輝度値Ｙ[Ｎ]を算出したか否かを判定する。そして、制御部１４は、全ての領域の輝度値Ｙ[Ｎ]を算出していないと判定すると、ステップＳ４に戻り、次の領域の画像についてステップＳ４からステップＳ６の処理を行う。そして、全ての領域の輝度値Ｙ[Ｎ]を算出したと判定すると、制御部１４は、ステップＳ８に進む。
【００２７】
ステップＳ８において、制御部１４は、ステップＳ１において読み込んだＸ枚の画像の全てについて輝度値Ｙ[Ｎ]を算出したか否かを判定する。そして、制御部１４は、全ての画像について輝度値Ｙ[Ｎ]を算出していないと判定すると、ステップＳ３に戻り、次の画像についてステップＳ３からステップＳ７の処理を行う。そして、全ての画像について輝度値Ｙ[Ｎ]を算出したと判定すると、制御部１４は、ステップＳ９に進む。
【００２８】
なお、ステップＳ８において、全ての画像について輝度値Ｙ[Ｎ]を算出したと判定された時点では、ステップＳ１で読み込んだＸ枚の画像のそれぞれについて、分割数（本例では６）分の輝度値Ｙ[Ｎ]が算出されることになる。
【００２９】
ステップＳ９において、制御部１４は、表示順決定部１６を制御して、ステップＳ６で算出した輝度値Ｙ[Ｎ]に基づいて、ステップＳ１において読み込んだＸ枚の画像の表示順を決定する。表示順を決定する処理の詳細は後述する。
【００３０】
ステップＳ１０において、制御部１４は、ステップＳ９で決定した表示順を不図示のメモリに記憶し、一連の処理を終了する。なお、表示順を記憶する際には、ステップＳ１において説明した「予めユーザにより指定されたＸ枚の画像」に対応づけて記憶するのが好ましい。このような構成とすることにより、同じ画像群が再び選択された際に、記憶しておいた表示順を再び利用することが可能である。特に、予めユーザにより何れかのフォルダに含まれる画像が選択された場合などには、再び同じフォルダが選択される可能性が高いと考えられるので、有用である。
【００３１】
次に、ステップＳ９で説明した表示順の決定処理の詳細を説明する。表示順決定部１６は、上述したステップＳ６で算出した「予めユーザにより指定されたＸ枚の画像」の分割した領域ごとの輝度値Ｙ[Ｎ]に基づいて、画像の表示順を決定する。
【００３２】
図６に、ステップＳ６で算出した輝度値Ｙ[Ｎ]のグラフの一例を示す。図６の例では、Ｘ＝４、すなわち、４枚の画像をそれぞれａ〜ｆの６つの領域に分割し、分割した領域ごとに輝度値Ｙ[Ｎ]を算出した場合の例を示す。表示順決定部１６は、このグラフの形状が似ている画像（グラフの形状が近い画像）から順に表示することで、極端な明るさ（輝度）の変化を抑えることができる。グラフの形状が似ている画像を検出するために、表示順決定部１６は、輝度値Ｙ[Ｎ]の差分が小さい順に画像の表示順を決定する。輝度値Ｙ[Ｎ]の比較には、最小二乗法の原理を用いる。
【００３３】
図７は、表示順の決定処理時の表示順決定部１６の動作を示すフローチャートである。
【００３４】
ステップＳ２１において、表示順決定部１６は、ステップＳ１において読み込んだＸ枚の画像のうち、２枚の画像の組み合わせの全てについて、合算値Ｓ[ｉ，ｊ]を算出する。２枚の画像をｉ，ｊとすると、合算値Ｓ[ｉ，ｊ]は、以下の式２により算出される。
【００３５】
合算値Ｓ[ｉ，ｊ]＝Σ(Ｙ[ｉ][Ｎ]−Ｙ[ｊ][Ｎ])2  …式２
ステップＳ１において読み込んだ画像がＸ枚であるため、表示順決定部１６は、Ｘ(Ｘ−１)／２通りの組み合わせについて、合算値Ｓ[ｉ，ｊ]を算出することになる。
【００３６】
ステップＳ２２において、表示順決定部１６は、ステップＳ２１で算出した合算値Ｓ[ｉ，ｊ]が最小となるｉ，ｊに対応する画像の組み合わせを検出する。
【００３７】
ステップＳ２３において、表示順決定部１６は、ステップＳ２２において検出した合算値Ｓ[ｉ，ｊ]が最小となるｉについて、その表示順Ａ[１]＝ｉとする。表示順Ａ[ｋ]は、ｋ番目に表示される画像を示す。すなわち、ステップＳ２２において検出した合算値Ｓ[ｉ，ｊ]が最小となるｉに対応する画像の表示順を１番目とする。
【００３８】
ステップＳ２４において、表示順決定部１６は、ステップＳ２２において検出した合算値Ｓ[ｉ，ｊ]が最小となるｊについて、その表示順Ａ[２]＝ｊとする。すなわち、ステップＳ２２において検出した合算値Ｓ[ｉ，ｊ]が最小となるｊに対応する画像の表示順を２番目とする。
【００３９】
ステップＳ２５において、表示順決定部１６は、ステップＳ２３で説明したｋ＝２とする。
【００４０】
ステップＳ２６において、表示順決定部１６は、合算値Ｓ[Ａ[ｋ]，ｊ]が最小となるｊに対応する画像を検出する。ただし、この時点で対象となる画像は、未だ表示順Ａ[ｋ]が決定していない画像のみである。すなわち、表示順決定部１６は、表示順Ａ[ｋ]が決定した画像を除外して、合算値Ｓ[Ａ[ｋ]，ｊ]が最小となるｊに対応する画像を検出する。
【００４１】
ステップＳ２７において、表示順決定部１６は、ステップＳ２３で説明したｋ＝ｋ＋１とする。
【００４２】
ステップＳ２８において、表示順決定部１６は、ステップＳ２６において検出した合算値Ｓ[Ａ[ｋ]，ｊ]が最小となるｊについて、その表示順Ａ[ｋ]＝ｊとする。すなわち、ステップＳ２６において検出した合算値Ｓ[Ａ[ｋ]，ｊ]が最小となるｊに対応する画像の表示順をｋ番目とする。
【００４３】
ステップＳ２９において、表示順決定部１６は、ステップＳ１において読み込んだＸ枚の画像の全ての表示順Ａ[ｋ]を決定したか否かを判定する。そして、表示順決定部１６は、全ての表示順Ａ[ｋ]を決定していないと判定すると、ステップＳ２６に戻り、ステップＳ２６からステップＳ２８の処理を行う。そして、全ての表示順Ａ[ｋ]を決定したと判定すると、表示順決定部１６は、表示順を決定する処理を終了する。
【００４４】
以上説明したように、本実施形態によれば、複数の画像を順次表示する表示部と、複数の画像のそれぞれについて、明るさに関する評価値を算出する算出部とを備え、評価値を比較し、比較結果に基づいて、複数の画像を表示部に表示する際の表示順を決定する。したがって、複数の画像を順次表示する際に、画像の明るさがなめらかに変化するように表示順を決定することができる。そのため、画面のちらつきが軽減されるので、デジタル画像の表示に際して、ユーザにとって不快感の少ない表示を実現することができる。
【００４５】
また、本実施形態によれば、複数の画像のそれぞれを複数の領域に分割し、分割した領域ごとに評価値を算出するとともに、算出した領域ごとの評価値を比較する。したがって、局所的な画像の特徴に応じて好ましい表示順を決定することができる。
【００４６】
なお、本実施形態では、図２のステップＳ２およびステップＳ４で説明したように、画像を均等に分割する例を示したが、局所的に領域の大きさを変えて分割する構成としても良い。例えば、中央近傍の領域の大きさを周辺の領域の大きさよりも小さくしても良い。
【００４７】
さらに、画像を分割せずに、画像全体の評価値（輝度値など）を求め、その評価値に基づいて表示順決定処理を行っても良い。
【００４８】
また、本実施形態では、図２のステップＳ５およびステップＳ６において、ＲＧＢの平均値を元に輝度値Ｙ[Ｎ]を算出する例を示したが、本発明はこの例に限定されない。例えば、ＲＧＢ値に代えてＹＣｂＣｒのＹ値を利用しても良い。また、Ｊｐｅｇ形式の画像データであれば、適宜非圧縮処理等を行って、評価値を算出しても良い。また、平均値を算出する代わりに、正規分布の最大値などの代表値を算出しても良い。さらに、輝度に代えて、他の色属性を用いても良いし、複数の色属性を組み合わせて用いても良い。例えば、画像の明度や彩度を利用しても良いし、輝度、彩度、明度の少なくとも２つを組み合わせて評価値を算出しても良い。また、平均値を算出する際に、均等平均せずに、加重平均する構成としても良い。例えば、中央部分の重みを多くして平均値を算出しても良い。
【００４９】
また、本実施形態において、図２のステップＳ９（図７のフローチャート）で説明した表示順決定処理は一例であり、本発明はこの例に限定されない。例えば、まず、１番目の画像を何らかの方法で決定し、この１番目の画像を基準として表示順を決定しても良い。また、算出した評価値に基づいて、明るい画像から暗い画像に（または暗い画像から明るい画像に）変化するように表示順を決定しても良い。
【００５０】
また、本実施形態では、１回の処理で全ての画像の表示順を決定する場合を例に挙げて説明したが、本発明はこの例に限定されない。例えば、ユーザが気にならないちらつきの範囲を予め決定し、この範囲にしたがって、Ｘ枚の画像をグルーピングし、各グループを代表する評価値を求めて、グループの表示順を決定しても良い。なお、各グループ内においては、本実施形態で説明した表示順決定処理や、時系列での表示順決定処理を行えば良い。
【００５１】
また、表示順決定処理の対象となる画像の枚数が非常に多い場合には、全画像を対象として本実施形態で説明した表示順決定処理を行うと処理時間が膨大になるため、適宜グルーピングしてから、各グループごとに表示順を決定しても良い。
【００５２】
また、本実施形態において、画像表示部１０に表示する画像に動画像が含まれる場合にも、本発明を同様に適用することができる。対象画像が動画像である場合には、動画像の最初のフレームと最終フレームとについて輝度値Ｙ[Ｎ]を算出し、同様の処理を行って表示順を決定すれば良い。このような構成とすれば、動画像の表示開始時および動画像の表示を終了し、次の画像の表示を開始するときに、画像の明るさがなめらかに変化するように表示順を決定することができる。
【００５３】
また、本実施形態では、画像表示部１０に画像を１枚ずつ表示する前提で説明を行ったが、複数枚の画像を表示する場合にも本発明を同様に適用することができる。例えば、画像を２枚ずつ同時に表示する場合には、２枚の画像を含む画面全体を１枚の画像とみなして、同様の処理を行うことにより、好ましい表示順を決定することができる。また、複数の表示領域にランダムに画像を表示する場合には、上述した実施形態で説明した表示順にしたがって、複数の表示領域に順次画像を表示すれば良い。
【００５４】
また、本発明の画像表示プログラムを適用したデジタルフォトフレームを例に挙げて説明したが、本発明はこの例に限定されない。例えば、本発明の画像表示プログラムを適用した電子カメラ、テレビ、ゲーム機、携帯用再生装置、コンピュータなどに対しても適用可能である。
【００５５】
また、本発明の画像表示プログラムを記憶する記録媒体に対しても適用可能である。
【００５６】
また、本発明は、その精神またはその主要な特徴から逸脱することなく他の様々な形で実施することができる。本発明は、特許請求の範囲によって示されるものであって、本発明は明細書本文には何ら拘束されない。さらに、特許請求の範囲の均等範囲に属する変形や変更は、全て本発明の範囲内である。
【図面の簡単な説明】
【００５７】
【図１】本実施形態のデジタルフォトフレーム１の構成を示すブロック図である。
【図２】画像表示部１０にスライドショー表示する際の制御部１４の動作を示すフローチャートである。
【図３】表示画像選択画面の一例を示す図である。
【図４】分割数指定画面の一例を示す図である。
【図５】画像の分割について説明する図である。
【図６】輝度値Ｙ[Ｎ]のグラフの一例である。
【図７】表示順の決定処理時の表示順決定部１６の動作を示すフローチャートである。
【符号の説明】
【００５８】
１…デジタルフォトフレーム、１０…画像表示部、１１…操作部、１２…記録部、１３…外部装置接続部、１４…制御部、１５…評価値算出部、１６…表示順決定部
【図１】
2010032613.tif 000003
【図２】
2010032613.tif 000004
【図３】
2010032613.tif 000005
【図４】
2010032613.tif 000006
【図５】
2010032613.tif 000007
【図６】
2010032613.tif 000008
【図７】
2010032613.tif 000009